(57)【要約】【課題】本発明は、芯部材の数を増加させても軸筒を太くする必要がなく、芯部材同士が接触して軸筒内部で詰まることがない塗付具を提供することを目的とした。【解決手段】筆記具１は、軸筒６と複数の芯部材７，８と操作手段９と有孔部材２９と付勢手段１４とを有し、有孔部材２９には各芯部材７，８を個々に挿通可能な孔が形成されている。付勢手段１４は有孔部材２９より先端側に配されており、当該孔に挿通された芯部材７，８が付勢手段１４により外部方向に付勢されている。【選択図】図１
2010221695.tif 000002
【特許請求の範囲】
【請求項１】
先端に開口部を有する軸筒と、前記軸筒内に配置され先端に筆記部を有する複数の芯部材と、芯部材を選択的に軸方向に移動させて当該芯部材の筆記部を前記開口部から外部に突出させる操作手段と、芯部材の動作を拘束可能な有孔部材を有し、前記有孔部材は前記複数の芯部材を個々に挿通可能な孔又は溝を有し、当該孔又は溝に各芯部材が挿通された筆記具において、
前記軸筒の内部であって、前記有孔部材より先端側の位置に各芯部材を外部方向に付勢可能な付勢手段が配されていることを特徴とする筆記具。
【請求項２】
前記有孔部材における複数の孔又は溝は、前記軸筒の中心軸から離れた位置で当該中心軸に平行に貫通しており、
前記付勢手段は、当該複数の孔又は溝に囲まれた有孔部材の中心から軸方向に突出するように設けられていることを特徴とする請求項１に記載の筆記具。
【請求項３】
前記有孔部材は、軸方向に突出した被装着部を有し、
前記付勢手段は、前記被装着部に筒体が装着されて形成されていることを特徴とする請求項２に記載の筆記具。
【請求項４】
前記有孔部材は中心に貫通孔を有し、
前記付勢手段は、前記貫通孔に棒状部材が装着されて形成されていることを特徴とする請求項２に記載の筆記具。
【請求項５】
前記付勢手段は、弾性を備えた部材であることを特徴とする請求項３又４に記載の筆記具。
【請求項６】
前記付勢手段は、有孔部材と一体的に構成されていることを特徴とする請求項２に記載の筆記具。
【請求項７】
前記付勢手段は、芯部材の一部又は全てに設けられ、
付勢手段が設けられた芯部材は、前記有孔部材より軸方向先端側の一部の領域が他の領域より径が太いことを特徴とする請求項１に記載の筆記具。
【請求項８】
前記付勢手段は、芯部材と一体的に構成されていることを特徴とする請求項７に記載の筆記具。
【請求項９】
前記付勢手段は、芯部材の周囲に巻回されたコイル状のバネであることを特徴とする請求項７に記載の筆記具。
【請求項１０】
前記付勢手段は、弾性材又は合成樹脂で構成された筒状部材で、芯部材の周囲に装着されていることを特徴とする請求項７に記載の筆記具。
【発明の詳細な説明】
【技術分野】
【０００１】
本発明は、筆記具に関するもので、特には、芯部材を複数有するものに関する。
【背景技術】
【０００２】
従来から、筆記具には、軸筒内部にレフィルを含む複数の芯部材が配設された多芯型の筆記具がある。また、レフィルに替わってシャープペンシル用の芯を収容可能なシャープペンシル体を芯部材として備えられた筆記具がある。一般的に、多芯型の筆記具は、複数の芯部材を選択的に使用可能としたスライド式，回転式，ノック式等の機構を有しており、当該機構を用いて、いずれか１つの芯部材の先端（筆記部）を、軸筒の先端に形成された開口部から外部に突出可能とした構成を有している。
【０００３】
ところで、一般的に、筆記具の軸筒には、先端方向に挟径となるテーパ部が設けられており、そのテーパ部の先端に開口部が配されている。また、開口部は、多芯型の筆記具であっても、単芯型（芯部材が１つ）の筆記具と同様に１つである。そのため、多芯型の筆記具においては、いずれの芯部材も開口部の中心軸からずらして配されている。
【０００４】
即ち、前記機構により選択された芯部材は、筆記部が開口部に至るまでの過程及び開口部から突出した状態においては、図１３（ａ）に示す様に、芯部材がテーパ部を構成する傾斜面により中心方向に付勢力を受けて強制的に進行方向が変えられる。言い換えれば、芯部材の先端を開口部から突出させるためには、芯部材を中心軸と交差する方向に移動させる必要がある。このとき、軸筒内部において、図１４に示す様に、中心方向に付勢力を受けて中心軸に対して角度を有する状態が維持された芯部材と、その他の芯部材は、接触状態あるいは接近状態となる。
【０００５】
この状態から、開口部から突出した芯部材を再び軸筒内部に収容し、別の芯部材を当該開口部から突出させる際に、当該芯部材が円滑に移動できない場合があった。即ち、図１３（ａ）に示す状態から、軸筒内部に再び収容される芯部材は、開口部縁端によって中心方向に掛けられていた付勢力が解放されるため、軸方向に掛かる付勢力のみとなり、図１３（ｂ）に示す軌道を移動する。これにより、芯部材が収容される途中（主にテーパ部）で別の芯部材と交差あるいは接触するため、芯部材が軸筒内部にスムーズに戻り難かった。
【０００６】
具体的には、前記状態から別の芯部材を突出させる場合、先に突出していた芯部材と当該別の芯部材との間に生じる摩擦により、先に突出していた芯部材の軸筒内部に収容されるまでの時間が遅延する。一方、開口部に向かって移動する別の芯部材は、前記機構を用いて人為的に軸筒の先端方向に移動されるため、前記摩擦により芯部材が開口部に至るまでの時間が遅延する等の影響はない。即ち、先に突出していた芯部材が軸筒に収容されるタイミングがずれることで、図１５に示す様に、先に突出していた芯部材が軸筒に収容される前に別の芯部材が開口部近傍に達するため、軸筒のテーパ部で双方の芯部材が詰まって移動できなくなる現象が発生する。従って、従来技術の筆記具では、前記機構を操作した際に、芯部材同士が干渉してしまう機会が形成されるため、軸筒に戻る芯部材と開口部から突出する芯部材とが入れ替わる最適なタイミングが崩壊してしまう場合があった。
【０００７】
特許文献１には、上記問題を解決するため、軸筒に設けられたテーパ部に隣接する内部側に、テーパ部の基端側の内径より大きい内径を有する大径部を設け、レフィルが外側に逃げ易い構成を有した筆記具が開示されている。
【先行技術文献】
【特許文献】
【０００８】
【特許文献１】特開２００８−１６２２４６号公報
【発明の概要】
【発明が解決しようとする課題】
【０００９】
しかしながら、特許文献１に記載の筆記具は、軸筒内部に配する芯部材の数を増加させた場合、軸筒の形状を細く維持することが困難であった。具体的に説明すると、特許文献１の筆記具は、軸筒の厚みを削って内部空間を広くすることで、各レフィルが接触して摩擦が生じることを軽減している。また、特許文献１の筆記具は、軸筒自体を細くしても、その分、軸筒の厚みを削り内部空間を確保する必要があるため、芯部材を増やす場合は、軸筒を太くすることが必至である。即ち、特許文献１に記載の発明において、芯部材の数を増やした場合は、軸筒が太くなり、使用感が損なわれる問題があった。
【００１０】
そこで本発明は、上述した従来技術の問題に鑑み、芯部材の数を増加させても軸筒を太くする必要がなく、芯部材同士が接触して軸筒内部で詰まることがない筆記具を提供することを課題とする。
【課題を解決するための手段】
【００１１】
上記課題を解決するための請求項１に記載の発明は、先端に開口部を有する軸筒と、前記軸筒内に配置され先端に筆記部を有する複数の芯部材と、芯部材を選択的に軸方向に移動させて当該芯部材の筆記部を前記開口部から外部に突出させる操作手段と、芯部材の動作を拘束可能な有孔部材を有し、前記有孔部材は前記複数の芯部材を個々に挿通可能な孔又は溝を有し、当該孔又は溝に各芯部材が挿通された筆記具において、前記軸筒の内部であって、前記有孔部材より先端側の位置に各芯部材を外部方向に付勢可能な付勢手段が配されていることを特徴とする筆記具である。
【００１２】
本発明の筆記具は、複数の芯部材を有し、各芯部材は有孔部材が有する孔又は溝に個々に挿通され、操作手段により選択的にいずれかの芯部材の筆記部を軸筒が有する開口部から外部に突出可能としている。また、有孔部材より先端側の位置に各芯部材を外部方向に付勢する付勢手段が配されているため、操作手段を操作して芯部材が移動した場合であっても、芯部材同士が絡み難い構成である。
即ち例えば、いずれかの芯部材の筆記部が開口部から突出している状態から、操作手段により、他の芯部材を軸筒の先端側に移動させた場合、当該他の芯部材の筆記部は軸筒の開口部に向かい、開口部に至る中途で軸筒の内壁に案内されてしなるようにして開口部から突出する。即ち、芯部材は、開口部に向かう中で、強制的に軸筒の中心軸に対して交差するような形状とされる。
ここで従来技術であれば、前記状態においては、先に説明した様に、操作手段に他の芯部材を先端方向に移動させた場合、既に開口部から突出していた別の芯部材とすれ違う際に、接触あるいは近接状態となる。これにより、従来技術の筆記具では、軸筒内部で芯部材同士がすれ違う際に、芯部材同士が擦れて摩擦が生じるため、双方の芯部材が移動できなくなる現象を発生させる場合があった。
【００１３】
そこで本発明では、有孔部材より先端側の位置に付勢手段を設けて、付勢手段が各芯部材を外部方向に付勢する構成としているため、操作手段により芯部材を先端方向に移動させた場合は、芯部材が付勢手段を支点として外側に凸状の円弧形状となる。即ち、いずれかの芯部材の筆記部を開口部に突出させてから、別の芯部材を先端方向に移動させる場合に、芯部材同士が絡み合うことがない。より詳細に説明すると、芯部材は軸筒に収容されている間は常に外側に付勢力を受けているため、開口部に向かって移動するときも、開口部から軸筒に再び収容されるときも、略同じ軌道を描くからである。即ち、軸筒内では芯部材が有孔部材の孔又は溝に個々に挿通されているため、付勢手段により芯部材を外側に付勢することで、先端に移動する芯部材と軸筒に収容される芯部材とが開口部以外で共有する軌道が殆どなくなる。これにより、芯部材同士がすれ違う際に摩擦を生じることを防止できるため、前記双方の芯部材が移動の途中で詰まることを防止できる。
また、本発明によれば、芯部材を外側に付勢する付勢手段を設けることで、芯部材同士が絡み合うことを防止する構成としているため、芯部材の数を増加させた場合であっても軸筒を必要以上に太くする必要はない。従って、従来技術に比べると芯部材の数を増加させても軸筒の形状を細くできる。
【００１４】
請求項２に記載の筆記具は、前記有孔部材における複数の孔又は溝は、前記軸筒の中心軸から離れた位置で当該中心軸に平行に貫通しており、前記付勢手段は、当該複数の孔又は溝に囲まれた有孔部材の中心から軸方向に突出するように設けられていることを特徴とする請求項１に記載の筆記具である。
【００１５】
かかる構成によれば、有孔部材の孔又は溝が軸筒の中心軸から離れた位置で中心軸に平行に貫通しており、芯部材はその孔又は溝に挿通されて配置されている。即ち、当該芯部材に囲まれた中心には空間が形成されるため、当該空間に付勢手段を設けることは容易であり、さらに付勢手段の周囲に配された芯部材を確実に外側に付勢することができる。
【００１６】
請求項３に記載の筆記具は、前記有孔部材は、軸方向に突出した被装着部を有し、前記付勢手段は、前記被装着部に筒体が装着されて形成されていることを特徴とする請求項２に記載の筆記具である。
【００１７】
一般的に、樹脂を用いた成形部材を成形する場合、本体が小さい部材に対しては、長さの短い突起を設けることは容易とされている。
そこで本発明では、小さい有孔部材に軸方向に突出した短い被装着部を設けて、その被装着部に筒体を装着して付勢手段を形成する構成とされている。これにより、付勢手段の軸方向の長さを、芯部材の数や、軸筒の太さ等の条件に応じて容易に変化させることができる。
【００１８】
請求項４に記載の筆記具は、前記有孔部材は中心に貫通孔を有し、前記付勢手段は、前記貫通孔に棒状部材が装着されて形成されていることを特徴とする請求項２に記載の筆記具である。
【００１９】
かかる構成によれば、有孔部材の中心に貫通孔を設けることで、本発明の筆記具に採用される付勢手段を公知の多芯型の筆記具に用いることが可能となり、製作コストを抑えることが可能となる。
【００２０】
請求項５に記載の筆記具は、前記付勢手段は、弾性を備えた部材であることを特徴とする請求項３又４に記載の筆記具である。
【００２１】
かかる構成によれば、付勢手段が弾性を備えた部材であるため、芯部材は中心軸に交差する方向に若干の自由度が与えられ、芯部材の移動がよりスムーズとなる。
【００２２】
本発明の筆記具は、付勢手段は有孔部材と一体的に構成されたものであってもよい。（請求項６）
【００２３】
請求項７に記載の筆記具は、前記付勢手段は、芯部材の一部又は全てに設けられ、付勢手段が設けられた芯部材は、前記有孔部材より軸方向先端側の一部の領域が他の領域より径が太いことを特徴とする請求項１に記載の筆記具である。
【００２４】
かかる構成によれば、付勢手段を用いて、有孔部材よりも軸方向先端側の芯部材の一部の領域の径を太くしているため、当該領域では各芯部材同士が外側に付勢される。これにより、当該領域より先端側においては、芯部材同士の間に間隔が形成されるため、芯部材同士が絡まり合うことが殆どない。
【００２５】
付勢手段は芯部材と一体的に構成されていることが推奨される。（請求項８）
【００２６】
請求項９に記載の筆記具は、前記付勢手段は、芯部材の周囲に巻回されたコイル状のバネであることを特徴とする請求項７に記載の筆記具である。
【００２７】
かかる構成によれば、コイル状のバネを芯部材の周囲に取り付ける構成であるため、公知の多芯型の筆記具に採用することが可能となり、製作コストを抑えることが可能となる。
【００２８】
前記付勢手段は、弾性材又は合成樹脂で構成された筒状部材で、芯部材の周囲に装着されたものであっても構わない。（請求項１０）
【発明の効果】
【００２９】
本発明の筆記具では、芯部材を外部方向に付勢する付勢手段が設けられているため、軸筒内部に複数の芯部材が配された場合であっても、先端側で芯部材同士が絡み合うことがない。これにより、軸筒内部で芯部材同士が干渉しあって移動できなくなる不具合を防止できる。また、本発明の筆記具では、芯部材を外側に付勢して芯部材同士の絡み合いを防止する構成を採用しているため、軸筒に内蔵させる芯部材の数を増加させても軸筒の形状を太くする必要がない。
【図面の簡単な説明】
【００３０】
【図１】本発明の第１実施形態に係る筆記具を示す断面図である。
【図２】操作部材を示す平面図である。
【図３】図１の筆記具を示す分解斜視図である。
【図４】有孔部材を示す拡大斜視図である。
【図５】有孔部材の変形例を示す斜視図で、（ａ）は貫通孔有する有孔部材，（ｂ）は溝を有する有孔部材である。
【図６】芯部材の軌跡を示す説明図で、（ａ）は芯部材移動状態、（ｂ）は筆記可能状態である。
【図７】芯部材を先端方向に移動させた状況の断面図である。
【図８】本発明の第２実施形態に係る筆記具を示す断面図である。
【図９】本発明の第２実施形態に係る筆記具を示す断面図である。
【図１０】本発明の第３実施形態に係る筆記具の付勢手段を示す拡大斜視図である。
【図１１】本発明の第４実施形態に係る筆記具の付勢手段を示す拡大斜視図で、（ａ）は筒体装着前を示しており、（ｂ）は筒体装着後を示している。
【図１２】本発明の第５実施形態に係る筆記具の付勢手段を示す拡大斜視図である。
【図１３】従来技術の筆記具を用いた場合の芯部材の軌跡を示す説明図で、（ａ）は芯部材移動状況（先端方向）、（ｂ）は芯部材移動状況（後端方向）である。
【図１４】従来技術の筆記具を示す断面図である。
【図１５】従来技術の筆記具における芯部材が詰まった状況を示す断面図である。
【発明を実施するための形態】
【００３１】
以下に、本発明を実施するための好ましい実施形態について、図面を参照しながら詳細に説明する。
【００３２】
本発明の第１本実施形態に示す筆記具１は、複数種類の芯部材が備えられ、容易な操作で便利に使用できる筆記具である。具体的には、第１実施形態の筆記具１は、図１に示す様に、色が異なる３種類のレフィル（芯部材）７と、シャープペン用の芯を収容可能なシャープペンシル体（芯部材）８と、３種類のレフィル７とシャープペンシル体８を選択的に操作可能な操作手段９と、芯部材７，８が挿通される保持部材１２と、芯部材７，８と操作手段９の一部と保持部材１２を収容する軸筒６により構成されている。
【００３３】
軸筒６は、略円筒形状で、本体筒１０とグリップ筒１１により構成されている。即ち、軸筒６は、本体筒１０とグリップ筒１１が一体となったもので、双方の内部は連通状態で接続されている。
グリップ筒１１は、一方の端部が当該端部に向かって狭径に形成されたテーパ部１６を有し、そのテーパ部１６の先端に開口部１５が形成され、軸筒６の内外を連通させている。グリップ筒１１の他方の端部側には、外周面に雄ネジ部２１が形成されている。（以下、テーパ部１６が位置する方向を先端方向とも言う）。グリップ筒１１におけるテーパ部１６の基端側から雄ネジ部２１に至るまでの外周には、グリップ部１７が設けられて他の部分より外径が太くされている。グリップ部１７は、摩擦係数が大きいゴム等により構成されている。これにより、本実施形態の筆記具１では、高いフィット感が期待できると共に、手からの発汗等による滑りを防止できるため、使用感を損なうことがない。
【００３４】
本体筒１０は、一方の端部に雌ネジ部２２が形成されており、前記したグリップ筒１１の雄ネジ部２１を螺合することができる。本体筒１０における他方の端部は、閉塞されており、当該端部から脱着可能な蓋部材１８が配されている。即ち、本体筒１０と蓋部材１８の内部は連通していない。また、前記他方の端部であって、蓋部材１８の内側には、円柱状の消しゴム２３が装着されている。
【００３５】
本体筒１０の後端側の側面には、本体筒１０の内外を連通する４つのスリット１９が形成されており、スリット１９は後述する操作手段９の一部が突出して軸方向に移動できる形状を有している。具体的には、スリット１９は、軸方向に一定長さ伸びた細長い形状である。さらに、本体筒１０の内部では、スリット１９の開口縁に沿ってガイド（図示しない）が設けられている。当該ガイドは、スリット１９の軸方向長さより長く、先端方向に一定長さ伸びている。即ち、前記操作手段９は、スリット１９と前記ガイドの制限を受けて移動するものである。
【００３６】
レフィル（芯部材）７は、公知のそれと同様であり、インキ収容筒２４と、ボールペン用チップ（筆記部）２５と、インキの漏洩を防止する開口栓（図示しない）とで構成されている。即ち、レフィル７は、インキ収容筒２４の一方の端部に筆記部２５が配され、他方の端部は内外を連通させた開口であり、レフィル７の内部であって当該開口の近傍には前記開口栓が配されている。即ち、レフィル７は、インキ収容筒２４の内部に充填するインキを変えることで、複数色のレフィル７を用意することができる。なお、本実施形態の筆記具１においては、黒色，赤色あるいは青色のいずれかのインキが充填されたインキ収容筒２４が採用されており、合計３本のレフィル７が用いられている。
【００３７】
シャープペンシル体（芯部材）８は、公知の多芯型の筆記具に採用されるそれと同様の構成を有しており、筆記用芯収容筒２６と、シャープペンシル用チップ（筆記具）２７と、芯送出部材２８とで構成されている。即ち、シャープペンシル体８は、筆記用芯収容筒２６の一方の端部にシャープペンシル用チップ２７と芯送出部材２８の複合体が配され、他方の端部は内外を連通させた開口とされている。これにより、前記開口からシャープペンシル用の芯を挿通して、芯送出部材２８によりシャープペンシル用チップ２７の先端から突出させることを可能としている。
【００３８】
操作手段９は、図２に示す様に、操作部材３１と圧縮バネ３２を有しており、操作部材３１は細長い矩形の板である。本実施形態では、２種類の操作部材３１ａ，３１ｂが採用されており、操作部材３１ａは、図２に示すように、直線状の本体部３３と、曲線状の凸部３４ａと、矩形の係合部３５と、本体部３３の大きさを変えて形成された段部により構成された嵌合段部３６とにより構成されている。また、操作部材３１ｂは、図１に示すように、操作部材３１ａとほぼ同じ構成で、凸部３４ｂの形状のみが異なる。即ち、凸部３４ｂは、他部材を接続可能な形状とされており、公知のボールペン等に取り付けられる同形状のクリップ３８が接続されている。なお、以下の説明は操作部材３１ａのみとし、操作部材３１ｂの説明は省略する。
【００３９】
凸部３４ａは、本体部３３の一方の端部側の側面に設けられている。
係合部３５は、凸部３４ａと対向する側面に設けられ、第１係合部３５ａと第２係合部３５ｂが間隔を有して配された板形状である。第１係合部３５ａは係合部３５の上端（図２）であり、第２係合部３５ｂは第１係合部３５ａより下方の位置に配されている。具体的には、第１係合部３５ａと第２係合部３５ｂは軸方向に間隔を有しており、第１係合部３５ａは軸方向に対して直交方向な辺で、第２係合部３５ｂは本体部３３から離反する方向に右上がりに（図２）傾斜した辺である。
嵌合段部３６は、本体部３３の他方の端部（凸部３４ａの軸方向反対側）に設けられ、本体部３３の大きさを先端側から後端側に向かって（図２の下部側から上方に向かって）大きくなるように３段階に変化させた段部である。即ち、段部は２箇所存在し、先端側に第１嵌合段部３６ａ、その後端側に第２嵌合段部３６ｂが配されている。
【００４０】
ここで、圧縮バネ３２の開口径はレフィル７及びシャープペンシル体８の開口径より大きいため、レフィル７及びシャープペンシル体８は圧縮バネ３２の内部に挿通される。また、圧縮バネ３２の開口径は、第１嵌合段部３６ａより大きく、第２嵌合段部３６ｂより小さい。即ち、第１嵌合段部３６ａにレフィル７あるいはシャープペンシル体８の開口が嵌り込み、第２嵌合段部３６ｂに圧縮バネ３２の一方の端部が軸方向に嵌り込んでいる。また、圧縮バネ３２の他方の端部は後述する保持部材１２に支持されている。
なお、本実施形態では、凸部３４ａを有する操作部材３１ａが３セットと、凸部３４ｂにクリップ３８が接続された操作部材３１ｂが１セットと、４つの圧縮バネ３２とが採用されている。
【００４１】
保持部材１２は、図３，４に示す様に、円筒形状で、外径が本体筒１０の内径と略同じである。また、保持部材１２の内部は、保持部材１２の軸方向中間に設けられた有孔部材２９により、２つの空間Ａ，Ｂに分割されている。有孔部材２９は、合成樹脂などにより成形されたほぼ円板状の部材で、４個の円形の挿通孔（孔）３０を有しており、それぞれの挿通孔３０は空間Ａ，Ｂを貫通する配置である。即ち、保持部材１２の内部に形成された２つの空間Ａ，Ｂは、挿通孔３０により連通されている。なお、挿通孔３０は等間隔（略９０度間隔）に配置されている。また、挿通孔３０の開口径は、インキ収容筒２４及び筆記用芯収容筒２６の外径より大きく、挿通孔３０に挿通されたレフィル７あるいはシャープペンシル体８が軸方向に移動可能な程度の大きさである。
なお、前記した有孔部材２９は、保持部材１２に備えられた構成を示したが、図５（ａ），（ｂ）に示す様に、保持部材１２に依存しない構成であっても構わない。即ち、有孔部材４０は、一定の高さを有した円柱で、軸方向に貫通する挿通孔３０あるいは切り欠き状の溝４１が形成されたものである。また、切り欠き状の溝４１であっても、軸筒６に装着すれば、芯部材７，８を挿通できる孔として機能する。
【００４２】
また、保持部材１２の有孔部材２９には、空間Ａ側に付勢手段１４が配され、空間Ｂ側に通路形成部材３７が配されている。通路形成部材３７は、有孔部材２９に一体的に設けられたもので、挿通孔３０に囲まれた中心に設けられ、後端方向に向かって一定長さ突出した突起物で、操作部材３１の一部及び圧縮バネ３２が移動する通路を形成するものである。
付勢手段１４は、有孔部材２９に一体的に設けられたもので、挿通孔３０に囲まれた中心に有孔部材２９に一体的に設けられており、先端方向に向かって一定長さ突出した突起物で、レフィル７の側面とシャープペンシル体８の側面に接触して、外部方向に付勢するものである。具体的には、付勢手段１４は、円柱状で、外径が２．３〜２．７ｍｍであり、突出長さが２５〜２８ｍｍである。なお、好ましくは付勢手段１４の外径は２．６ｍｍで、突出長さは２７ｍｍである。そして、この付勢手段１４は、主にレフィル７あるいはシャープペンシル体８を、先端方向に移動された際に外側に付勢される。これにより、付勢手段１４の位置より先端側の領域でレフィル７やシャープペンシル体８等の芯部材７，８同士が干渉しにくくなるため、絡まり合うことが殆どない。
【００４３】
次に第１実施形態の筆記具１における組み立て構造について説明する。
【００４４】
本実施形態の筆記具１は、図１に示す様に、本体筒１０とグリップ筒１１とが接続されて軸筒６が形成されており、軸筒６の内部にレフィル７とシャープペンシル体８と操作手段９と保持部材１２が配されている。具体的には、本体筒１０の各スリット１９に操作手段９の凸部３４ａあるいは凸部３４ｂが突出するように配され、さらに嵌合段部３６ａにレフィル７あるいはシャープペンシル体８の開口側の端部が配されている。また、嵌合段部３６ｂには、操作手段９の一部である圧縮バネ３２の軸方向の一方の端部（図２の上端部）が配されている。
【００４５】
なお、有孔部材２９の挿通孔３０が等間隔に配されていることに伴い、４つの操作部材３１も等間隔に配置されており、当該操作部材３１の各係合部３５は互いに向き合った状態（軸筒６の中心軸を基準に放射状に配された状態）で、第１係合部３５ａがスリット１９の上端に当接している。また、操作手段９が操作され、芯部材７，８のいずれかが先端方向に移動された場合は、移動された操作部材３１の第１係合部３４ａがその他の操作部材３１の第２係合部３４ｂに係合した状態となる（図示しない）。
【００４６】
そして、圧縮バネ３２の軸方向他方の端部（図２の下端部）は、スリット１９より先端側に配された保持部材１２の通路形成部材３７により形成された通路に配され、有孔部材２９に支持されている。
また、前記したように、有孔部材２９における通路形成部材３７と反対側には、付勢手段１４が配されており、各挿通孔３０に挿通されたレフィル７とシャープペンシル体８が先端方向に移動した際に、外側に付勢を受ける配置にされている。そして、各芯部材７，８の先端がグリップ筒１１のテーパ部１６の基端側近傍に位置されている（待機状態）。
【００４７】
従って、本実施形態の筆記具１は、上述したように、有孔部材２９の中心に設けられた付勢手段１４により、レフィル７あるいはシャープペンシル体８が外側に付勢される構成とされている。そのため、レフィル７あるいはシャープペンシル体８が先端方向に移動した際に、当該移動した芯部材７，８がその他の芯部材７，８に対して離れる方向に付勢されるため、芯部材７，８同士が絡み合うことを防止できる。
【００４８】
次に、操作手段９を操作した際の芯部材７の動作について具体的に図面を用いて説明する。なお、芯材部８の動作も同様であるため、説明を省略する。
【００４９】
操作手段９が軸方向先端向きに移動されると、それと連動して前記待機状態の芯部材７が軸筒６の先端側に移動する。そして、芯部材７のボールペン用チップ２５がテーパ部１６に達すると、図６（ａ）に示す様に、芯材部７は開口部１５方向に付勢されて進行方向が変えられると共に付勢手段１４により芯材部７の中間部が外側に付勢される。即ち、芯材部７は、付勢手段１４と当接している位置が支点となり、外側に凸形状を描く円弧形状となる。そして、図６（ｂ）に示す様に、芯部材７の円弧形状は、ボールペン用チップ２５が開口部１５から突出しても維持されている。また、芯材部７が軸筒６に収容される場合も、付勢手段１４により外側に付勢されているため、図６（ａ）に示す様に、芯部材７は先端に向かって移動した軌跡と同様の軌道を移動する。従って、芯部材７は、常にテーパ部１６に沿って移動するため、芯部材７，８同士は軌道をほぼ共有することがない。
【００５０】
即ち、図７に示す状態から、別の芯部材７を軸筒６の先端側に移動させた場合であっても、先に先端側に配された芯部材８と後から先端側に移動させられた芯部材７は、それぞれ異なる軌道を移動するため、絡み合うことがない。そのため、芯部材同士は、すれ違う際に互いに擦れることがないため、摩擦を生じることがなく、双方の芯部材７，８がスムーズに移動できる。これにより、先に先端側に配された芯部材８が軸筒６に収容される時間が遅延することが防止でき、双方の芯部材７，８が詰まって移動できなくなることを防止することができる。
【００５１】
上記した第１実施形態は、有孔部材２９に付勢手段１４を設けた構成を示したが、本発明はこれに限定されるわけではなく、図８に示す様に、筆記具２は付勢手段１４が配された位置のレフィル７あるいはシャープペンシル体８の一部の領域の外径を太くする構成（付勢手段４５，４６）であっても構わない。これにより、第２実施形態の筆記具２は、第１実施形態で示した筆記具１と同様の効果を得ることができる。なお、太くする手段としては、コイル状に巻回されたバネ４６（図９）や、ゴムなどの弾性材や合成樹脂（図８）で構成された筒状部材４５を用いることが推奨される。
【００５２】
上記した第１実施形態では、付勢手段１４が有孔部材２９と一体的に設けられた構成を示したが、本発明はこれに限定されるわけではなく、図１０に示す様に、有孔部材４２の中央に貫通孔４３を設け、その貫通孔４３に棒状部材５４を装着して付勢手段４４を形成した構成であっても構わない。なお、棒状部材５４は、弾性を備えたゴムや合成樹脂が好ましい。（第３実施形態）
また、図１１に示すように、有孔部材５１に第１実施形態の付勢部材１４の大きさより小さい突状の被装着部５２を一体的に設け、当該被装着部５２に筒体５５を装着して付勢手段５３を形成した構成であっても構わない。具体的には、被装着部５２は円柱状とされ、外径が１．４〜１．７ｍｍ、突出長さが１０〜１５ｍｍに設定されている。そして、筒体５５には、弾性を備えた中空状のゴムパイプが採用されている。なお、当該筒体５５は、内径が１．４〜１．７ｍｍ、肉厚が０．４〜０．６ｍｍ、突出長さが２５〜２８ｍｍに設定されている。なお、好ましくは、被装着部５２の外径は、１．６ｍｍで、突出長さは１３ｍｍで、筒体５５の内径は、１．６ｍｍ、肉厚が０．５ｍｍ、突出長さが２７ｍｍである。なお、被装着部５２は、円柱状に限定されず、四角柱などの角を有する形状であっても構わない。（第４実施形態）
即ち、第３，４実施形態のような構成とすることで、上記第１実施形態と比較すると、芯部材７，８の本数や軸筒６の太さ等の条件に合わせて付勢手段５３の大きさを変化させることが容易となる。即ち、付勢手段１４により確実に芯部材７，８を外側に付勢することが可能となる。さらに、付勢手段１４に弾性を備えた部材を用いることで、軸筒６の中心軸に対して交差する方向に若干変位することが許されるため、芯部材７，８の軸方向の移動がよりスムーズとなる。従って、変形例１や変形例２の構成によれば、付勢手段１４に汎用性を持たせることができると共に、より確実に芯部材７，８を外側に付勢して芯部材７，８同士が絡み合うことを防止できる。
【００５３】
上記した第１実施形態では、付勢手段１４が円柱状の構成を示したが、本発明はこれに限定されるわけではなく、図１２に示す様に、付勢手段４９は有孔部材４７に形成された挿通孔３０の開口縁に沿った形状にした構成であっても構わない。（第５実施形態）
【００５４】
上記した実施形態では、軸筒６内に合計４本の芯部材７，８が配された構成を示したが、本発明はこの構成に限定されるわけではなく、芯部材７あるいは芯部材８の合計が４本未満あるいは５本以上であっても構わない。その場合であっても、本発明の筆記具１であれば、軸筒の太さを従来技術の筆記具より大きくする必要はなく、さらに使用時に芯部材７，８が詰まることを防止できる。
【００５５】
上記した実施形態では、芯部材にシャープペンシル体８とレフィル７を混合して軸筒６内に配した構成を示したが、本発明はこれに限定されるわけではなく、複数のレフィル７を軸筒６内に配した構成であっても構わない。
【符号の説明】
【００５６】
１，２    筆記具
６    軸筒
７    レフィル（芯部材）
８    シャープペンシル体（芯部材）
９    操作手段
１４，４４，４５，４６，４９，５３    付勢手段
１５    開口部
１６    テーパ部
２５    ボールペン用チップ（筆記部）
２７    シャープペンシル用チップ（筆記部）
２９，４０，４２，４７，５１    有孔部材
３０    挿通孔（孔）
４１    溝
５４    棒状部材
５５    筒体
【図１】
2010221695.tif 000003
【図２】
2010221695.tif 000004
【図３】
2010221695.tif 000005
【図４】
2010221695.tif 000006
【図５】
2010221695.tif 000007
【図６】
2010221695.tif 000008
【図７】
2010221695.tif 000009
【図８】
2010221695.tif 000010
【図９】
2010221695.tif 000011
【図１０】
2010221695.tif 000012
【図１１】
2010221695.tif 000013
【図１２】
2010221695.tif 000014
【図１３】
2010221695.tif 000015
【図１４】
2010221695.tif 000016
【図１５】
2010221695.tif 000017